(57)【要約】【課題】薬剤についての情報や服用管理のための日付等を印刷することができ、必要に応じて服用管理のための日付や服用毎に個別に分割して小形化することができる包装体を提供する。【解決手段】台紙１２には、ＰＴＰシート４０のフランジ部４２ｂの突出部４２ａが突出する側の面に重ねられる第一側面１４と、第一側面１４に形成され突出部４２ａが挿通される複数個の孔部３０を有する。第一側面１４に折罫線２０を介して連続しフランジ部４２ｂの反対側の面に折り返される第二側面１８と、第二側面１８に形成され第一側面１４に折り重ねられた時に孔部３０に対向する位置に形成された押出用開口部３８を備える。第一側面１４には孔部３０どうしの間を区切る第一破断線１６が設けられ、第二側面１８には押出用開口部３８どうしの間を区切る第二破断線２２が設けられ、第一破断線１６と第二破断線２２は、折り重ね状態で互いに一致する位置に設けられている。【選択図】図１
2010005193.tif 000002
【特許請求の範囲】
【請求項１】
商品を収容し一側面が開口した中空の突出部と前記突出部の周囲に設けられたフランジ部を有するプラスチック成形体に、破断可能なシートが取り付けられて前記突出部が閉鎖されているＰＴＰシートと、前記ＰＴＰシートに取り付けられ一枚のブランクシートを打ち抜いて形成された台紙が設けられ、前記台紙には、前記フランジ部の前記突出部が突出する側の面に重ねられる第一側面と、前記第一側面に形成され前記突出部が挿通される複数個の孔部と、前記第一側面に折罫線を介して連続し前記フランジ部の反対側の面に折り返される第二側面と、前記第二側面に形成され前記第一側面に折り重ねられた時に前記孔部に対向する位置に形成された押出用開口部と、前記第一側面と前記第二側面を糊付けする接着剤が設けられ、前記第一側面には前記孔部どうしの間を区切る第一破断線が設けられ、前記第二側面には前記押出用開口部どうしの間を区切る第二破断線が設けられ、前記第一破断線と前記第二破断線は、前記第一側面と前記第二側面を前記折罫線で折り重ねたときに互いに一致する位置に設けられていることを特徴とする包装体。
【請求項２】
前記台紙の側縁部は、前記第一破断線または前記第二破断線と交差する角部に、面取り状の切欠部が設けられていることを特徴とする請求項１記載の包装体。
【請求項３】
前記第一破断線または前記第二破断線と、前記折罫線が交差する角部に、面取り状の切欠部が設けられていることを特徴とする請求項１または２記載の包装体。
【請求項４】
前記台紙に前記第一破断線が複数本設けられて互いに交差し、前記第一破断線同士が交差する角部に、面取り状の切欠部が設けられていることを特徴とする請求項１記載の包装体。
【発明の詳細な説明】
【技術分野】
【０００１】
この発明は、ＰＴＰシートに台紙を取付けて包装した包装体に関する。
【背景技術】
【０００２】
従来、カプセル等の薬剤の包装技術としてＰＴＰシートがある。ＰＴＰシートは、合成樹脂で作られたプラスチック成形体を有し、プラスチック成形体には、薬剤を収容する突出部と、突出部の周縁部に形成されたフランジ部が一体に成形されている。フランジ部の、突出部と反対側の面にアルミ箔などの破断可能なシートが貼り付けられて突出部が閉鎖され、薬剤を密閉している。ＰＴＰシートのフランジ部には、１錠ずつ切り離すためミシン線が入れられている。例えば、特許文献1に開示されている誤嚥時の人体損傷防止用薬剤用ＰＴＰは、薬剤がミシン線で区画され、ミシン線同士の交差部分の角部には、面取りのような切り込みが形成されている。これにより、ＰＴＰシートを薬剤ごとにミシン線で分割して持ち運ぶことができる。またミシン線で分割した状態で誤飲しても、フランジ部の角部が面取りされているため人体を傷つけることがない。
【０００３】
また、ＰＴＰシートに紙製等の台紙を取付け、この台紙に、薬剤の飲み忘れを防ぐように日付を記入する欄や、薬剤の情報や使用上の注意などを印刷するものがある。例えば特許文献２に開示されている薬の服用管理具は、厚紙等の台紙上に日時を表示する日時表示部を印刷し、またこの日時表示部に対応した位置に形成された少なくとも一対の保持スリット部が形成されている。そして分割したＰＴＰシートのフランジ部の角部の一対の角部を、台紙の一対の保持スリットに差し込んで保持させ、ＰＴＰシートの薬剤を服用する日時と対応させることができる。特許文献３には、日時を表示する日時表示部が印刷され、またこの日時表示部に対応した位置に形成された少なくとも一対の保持スリット部が形成された台紙にＰＴＰシートを取付ける服用管理方法が開示されている。
【特許文献１】特開平７−３１５４５４号公報
【特許文献２】特開２００７−２０２９６８号公報
【特許文献３】特開２００７−２８２８２２号公報
【発明の開示】
【発明が解決しようとする課題】
【０００４】
上記特許文献１の場合、ＰＴＰシートには印刷スペースが小さく、薬剤の情報や服用管理のための日付等を印刷するスペースを設けることができなかった。二重に飲んだり飲み忘れたりすることを防ぐ服用管理のことは考えられていなかった。上記特許文献２と上記特許文献３の場合、台紙が大きいため携帯することが面倒であり、外出時等に服用する分を、日付を入れた状態で個別に外すことができなかった。
【０００５】
この発明は、上記背景技術の問題点に鑑みてなされたものであり、薬剤についての情報や服用管理のための日付等を印刷することができ、必要に応じて服用管理のための日付や服用毎に個別に分割して小形化することができる包装体を提供することを目的とする。
【課題を解決するための手段】
【０００６】
本発明は、商品を収容し一側面が開口した中空の突出部と前記突出部の周囲に設けられたフランジ部を有するプラスチック成形体に、破断可能なシートが取り付けられて前記突出部が閉鎖されているＰＴＰシートと、前記ＰＴＰシートに取り付けられ一枚のブランクシートを打ち抜いて形成された台紙が設けられている包装体であり、前記台紙には、前記フランジ部の前記突出部が突出する側の面に重ねられる第一側面と、前記第一側面に形成され前記突出部が挿通される複数個の孔部と、前記第一側面に折罫線を介して連続し前記フランジ部の反対側の面に折り返される第二側面と、前記第二側面に形成され前記第一側面に折り重ねられた時に前記突出部に対向する部分に形成された押出用開口部と、前記第一側面と前記第二側面を糊付けする接着剤が設けられている。前記第一側面には前記孔部どうしの間を区切る第一破断線が設けられ、前記第二側面には前記押出用開口部どうしの間を区切る第二破断線が設けられ、前記第一破断線と前記第二破断線は、前記第一側面と前記第二側面を前記折罫線で折り重ねたときに互いに一致する位置に設けられている。
【０００７】
前記台紙の側縁部は、前記第一破断線または前記第二破断線と交差する角部に、面取り状の切欠部が設けられている。また、前記第一破断線または前記第二破断線と、前記折罫線が交差する角部に、面取り状の切欠部が設けられている。また、前記台紙に前記第一破断線が複数本体設けられて互いに交差しても良く、この場合は前記第一破断線同士が交差する角部に、面取り状の切欠部が設けられている。前記切欠部の形状は、前記第一破断線又は前記第二破断線に連続する部分は直線で形成され、前記第一破断線又は前記第二破断線から離れた部分は外側に膨出する曲線が連続して設けられている。
【発明の効果】
【０００８】
本発明の包装体は、薬剤についての情報や服用管理のための日付等を台紙に印刷することができ、また必要に応じて服用管理のための日付ごとに台紙を個別に分割して小形化することができる。台紙を小形化して、外出の際に日付等を表示した印刷部分と一緒に必要な薬剤のみを容易に携帯することができ、飲み間違いを確実に防ぐことができる。
【発明を実施するための最良の形態】
【０００９】
以下、この発明の実施形態について図面に基づいて説明する。図１、図２はこの発明の一実施形態を示すもので、この実施形態の包装体１０は、紙製等の一枚のブランクシートを打ち抜いて形成された台紙１２が二つ折りにして設けられている。
【００１０】
図２は台紙１２を裏面１２ｂから見た展開図であり、台紙１２は一方向に長い矩形の第一側面１４が設けられ、第一側面１４の長手方向の中心には、長手方向に対してほぼ直角に交差する第一破断線１６が設けられ、第一破断線１６により２個の区画に分けられている。第一側面１４の、長手方向に平行な一方の側縁部１４ａには、第一側面１４と同形の第二側面１８が連続して設けられている。第一側面１４と第二側面１８の境界には半切線等で折罫線２０が設けられている。第二側面１８の長手方向の中心には、長手方向に対してほぼ直角に交差する第二破断線２２が設けられ、第二破断線２２により２個の区画に分けられている。第一側面１４と第二側面１８の、第一破断線１６または第二破断線２２により分けられた区画の大きさは、携帯に便利な小形であるが、痴呆症状がある患者が誤飲しない十分な大きさである。
【００１１】
第一側面１４の、第一破断線１６と折罫線２０が交差する一対の角部には、切欠部２４がそれぞれ設けられている。切欠部２４は、角部を面取り状に切り欠いたものであり、第一破断線１６と折罫線２０に連続する部分は直線で形成され、第一破断線１６と折罫線２０から離れた部分は外側に膨出する円弧状の曲線が連続して設けられている。一対の切欠部２４は、第一破断線１６を中心線とする線対称に形成されている。第一側面１４の、折罫線２０と反対側に位置する側縁部１４ｂと、第一破断線１６が交差する一対の角部にも、切欠部２６がそれぞれ設けられている。切欠部２６は、第一破断線１６に連続する部分は直線で形成され、第一破断線１６から離れた部分は外側に膨出する曲線が連続して設けられ側縁部１４ｂに達している。一対の切欠部２６も、第一破断線１６を中心線とする線対称に形成されている。また、第一側面１４の、側縁部１４ｂに対して交差する短い一対の端部１４ｃ，１４ｄと、折罫線２０が交差する一対の角部には、切欠部２８がそれぞれ設けられている。切欠部２８は、折罫線２０に連続する部分は直線で形成され、折罫線２０から離れた部分は外側に膨出する曲線が連続して設けられ、端部１４ｃ，１４ｄに達している。なお、側縁部１４ｂと、端部１４ｃ、１４ｄが交差してできる一対の角部は外側に膨出する曲線で設けられている。
【００１２】
第一側面１４には、後述するＰＴＰシート４０の突出部４２ａを入れる孔部３０が設けられている。孔部３０は、第一破断線１６で区切られた区画に１個ずつ設けられ、各区画内のほぼ同じ位置にほぼ同じ形状に設けられている。ここでは、図面上左上の角部に近い位置に設けられ、側縁部１４ｂに対して平行な方向に長い長丸に形成されている。
【００１３】
第二側面１８の、第二破断線２２と折罫線２０が交差してできる一対の角部には、切欠部３２がそれぞれ設けられている。一対の切欠部３２は、第一側面１４の切欠部２４に対して折罫線２０を中心線とする線対称であり、切欠部２４と連通して菱形状の透孔が形成される。また、折罫線２０と反対側に位置する側縁部１８ｂと、第二破断線２２が交差してできる一対の角部にも、切欠部３４がそれぞれ設けられている。切欠部３４は、第一側面１４の切欠部２６と、折罫線２０を中心線とする線対称に形成されている。第二側面１８の、側縁部１８ｂに交差する短い一対の端部１８ｃ，１８ｄと、折罫線２０が交差してできる一対の角部には、切欠部３６がそれぞれ設けられている。切欠部３６は、第一側面１４の切欠部２８と、折罫線２０を中心線とする線対称に形成されている。なお、側縁部１８ｂと、端部１８ｃ，１８ｄが交差してできる一対の角部は外側に膨出する曲線状に形成されている。
【００１４】
第二側面１８には、押出用開口部３８が設けられている。押出用開口部３８は、第二破断線２２で区切られた区画に１個ずつ設けられ、各区画内のほぼ同じ位置にほぼ同じ形状に設けられている。そして第一側面１４の孔部３０と、折罫線２０を中心線とする線対称の位置に形成されている。
【００１５】
台紙１２の第一側面１４の表面１２ａには、カプセル等の薬剤４３の商品名や薬剤名、内容量、服用方法等が印刷され、服用する日付を記入する日付記入欄４６が印刷されている。
【００１６】
包装体１０は、台紙１２でＰＴＰシート４０を包装したものであり、ここでＰＴＰシート４０について説明する。ＰＴＰシート４０は、プラスチック成形体４２が設けられ、プラスチック成形体４２には、商品である薬剤４３を収容し一側面が開口した中空の突出部４２ａと、突出部４２ａの周縁部のフランジ部４２ｂが設けられている。フランジ部４２ｂには、突出部４２ａの突出方向と反対の面に薄いアルミ箔等の破断可能なシート４４が貼り付けられて突出部４２ａの開口が閉鎖され、薬剤４３を密閉している。一般に一枚のＰＴＰシート４０には、複数個の突出部４２ａが設けられ、フランジ部４２ｂの、一対の突出部４２ａの間に１錠ずつ切り離すためのミシン線等が入れられている。これにより、ＰＴＰシート４０を薬剤４３ごとにミシン線等で分割することができる。
【００１７】
次に、包装体１０の組立方法について説明する。まず、台紙１２を展開した状態で裏面１２ｂの所定位置に糊を塗布する。第一側面１４の孔部３０に、ＰＴＰシート４０を１個に分割した状態でセットする。このとき、ＰＴＰシート４０のプラスチック成形体４２の突出部４２ａを、第一側面１４の孔部３０に差し込み、台紙１２の表面１２ａへ突出させる。次に折罫線２０を折り曲げて第二側面１８を第一側面１４に、裏面１２ｂどうしをあわせるように折り重ねる。そうすると、ＰＴＰシート４０を挟持した状態で第一側面１４と第二側面１８が接着剤で接着され、包装が完了する。なお、第一側面１４と第二側面１８は、裏面１２ｂの全面に粘着剤が取付けられた粘着シートで作られても良い。そして第一側面１４の日付記入欄４６に、薬剤４３を服用する日付を記入する。
【００１８】
包装体１０から薬剤４３を取り出すときは、ＰＴＰシート４０の突出部４２ａを第一側面１４側から押す。すると、薬剤４３がシート４４に押し付けられてシート４４が破断し、薬剤４３が第二側面１８の押出用開口部３８から取り出される。薬剤４３は、日付記入欄４６に使用する当日の日付が記入されたものを選ぶ。そして、外出等で当日の一回分の薬剤４３だけを携帯するときは、第一側面１４と第二側面１８が重ねられた状態で、互いに一致する第一破断線１６と第二破断線２２を切断して隣接する不要の部分から切り離す。
【００１９】
この実施形態の包装体１０によれば、ＰＴＰシート４０に取付けた台紙１２は面積が広いため、薬剤４３の効果や使用方法を多く印刷することができ、消費者に正確に情報を伝達することができる。また、日付記入欄４６が印刷され、日付を記入することで飲み忘れや二重に服用する等の間違いを防ぐことができる。台紙１２は、第一側面１４と第二側面１８を二つ折りした状態で第一破断線１６と第二破断線２２が一致するため、第一側面１４と第二側面１８を二つ折りした状態で第一破断線１６と第二破断線２２を簡単に破断して、ＰＴＰシート４０を個々に分割することができる。これにより、日付記入欄４６から切り離さずに、必要な薬剤４３を台紙１２から分割して携帯することができる。第一破断線１６と第二破断線２２の、折罫線２０側の端部は、切欠部２４，３２が設けられて容易に切断することができ、切欠部２４，３２は第一破断線１６に直線で斜めに４５度程度の角度で交差するため他の部分に破れ目が形成されることがなく、確実に第一破断線１６と第二破断線２２を破断することができる。第一破断線１６と第二破断線２２の、側縁部１４ｂ側の端部にも切欠部２６，３４が設けられ、側縁部１４ｂ側からも簡単に切断することができる。
【００２０】
なお、包装体１０は、２個のＰＴＰシート４０を収容するもの以外に、３個のＰＴＰシート４０を収容するものでも良い。図３は、３個のＰＴＰシート４０を収容するものであり、この台紙４８は、第一側面１４に２本の第一破断線１６が設けられて３分割されている。第一側面１４の、長手方向の一方の１４ａには第二側面１８が連続して設けられている。第二側面１８には、第一破断線１６に対して折罫線２０で線対称となる二本の第二破断線２２が設けられて３分割されている。第一破断線１６の両端部には切欠部２４，２６が設けられ、第二破断線２２の両端部には切欠部３２，３４が設けられて、破断しやすくなっている。
【００２１】
また、包装体１０は４個のＰＴＰシート４０を収容するものでもよい。図４は、４個のＰＴＰシート４０を収容するものであり、この台紙５０は、第一側面１４に十字状の第一破断線５２が設けられて第一側面１４が４分割されている。第一側面１４の、一方の側縁部には第一側面１４と同形の第二側面１８が折罫線２０で区切られて設けられている。第二側面１８にも十字状の第二破断線５４が設けられて４分割されている。第一破断線５２と第二破断線５４のそれぞれ十字の交点にできる４個の角部には切欠部５６がそれぞれ設けられ、切欠部５６が連通してひし形状の透孔が形成されている。第一破断線５２と第一側面１４の側縁部が交差してできる角部と、第二破断線５４と第二側面１８の側縁部が交差してできる角部にも、切欠部５８が設けられて、破断しやすいものになっている。
【００２２】
なお、ＰＴＰシート４０の数に合わせて台紙５０の大きさと第一破断線５２、第二破断線５４の数を変更して自由に対応することができる。一枚の台紙１２に７個の薬剤４３を収容して一週間分としてもよい。
【００２３】
その他、図５に示すように、台紙６０の第一側面１４の第一破断線１６と、第二側面１８の第二破断線２２の、各側縁部１４ｂ，１８ｂの切欠部２６，３４の形状が、Ｖ字状に形成され、この切欠部２６，３４のＶ字の頂点に、台紙１２の第一側面１４の第一破断線１６と、第二側面１８の第二破断線２２の切れ目１６ａ，２２ａが繋がっている。また、第一側面１４と第二側面１８の折罫線２０と第一破断線１６と第二破断線２２との交点に、切り欠き部を設けず、切れ目２０ａが折罫線２０と交差するように形成されている。その他の構成は、図１、図２に示す台紙１２と同様である。
【００２４】
この実施形態の台紙６０は、包装体に組み立てた状態で、切れ目１６ａ，２２ａが台紙６０の各側縁部１４ｂ，１８ｂに位置し、さらに反対側の側縁部は切れ目２０ａが位置して、分離が容易且つきれいに行われるようにしている。
【００２５】
また、図６に示すように、台紙６２の各側縁部１４ｂ，１８ｂの破断線１６を挟んで両側に、摘み部６４を設けたものでも良い。これにより、さらに分離しやすいものである。
【００２６】
また、図７に示すように、台紙６６の各側縁部１４ｂ，１８ｂの破断線１６を挟んだ両側に、凹凸状の滑り止め部６８を設けたものでも良い。破断線１６，２２の形状も、Ｔ字状にしても良い。これにより、さらに分離しやすく、きれいに破断される。さらに、図８に示すように、滑り止め部６８の形状を、斜めに配置し、切欠部２４，３２もＶ字状に形成しても良い。この場合も破断線１６，２２の切れ目が切欠部２４，３２に繋がっているとよい。
【００２７】
この発明の包装体は、上記実施形態に限定されるものではなく、台紙の形状や分割する数、孔部の位置、組立工程等、適宜変更可能である。分割する区画の配置は自由に変更可能であり、折罫線に対して交差する方向に並べられても良い。なお、収容する商品は、顆粒や液体が入ったカプセル剤以外に、錠剤等でも良く、菓子等の食品にも使用可能である。第一側面と第二側面を接着する手段は両面テープやホットメルト等、自由に選択可能である。
【図面の簡単な説明】
【００２８】
【図１】この発明の一実施形態の包装体の斜視図である。
【図２】この実施形態の包装体の台紙の展開図である。
【図３】この実施形態の包装体の変形例の台紙の展開図である。
【図４】この実施形態の包装体の変形例の台紙の展開図である。
【図５】この発明の包装体の他の実施形態の台紙の展開図である。
【図６】この発明の包装体の他の実施形態の台紙の展開図である。
【図７】この発明の包装体の他の実施形態の台紙の展開図である。
【図８】この発明の包装体の他の実施形態の台紙の展開図である。
【符号の説明】
【００２９】
１０  包装体
１２  台紙
１４  第一側面
１６  第一破断線
１８  第二側面
２０  折罫線
２２  第二破断線
２４，２６，２８，３２，３４，３６  切欠部
３０  孔部
３８  押出用開口部
４０  ＰＴＰシート
４２  プラスチック成形体
４２ａ  突出部
４２ｂ  フランジ部
４３  薬剤
４４  シート
４６  日付記入欄
【図１】
2010005193.tif 000003
【図２】
2010005193.tif 000004
【図３】
2010005193.tif 000005
【図４】
2010005193.tif 000006
【図５】
2010005193.tif 000007
【図６】
2010005193.tif 000008
【図７】
2010005193.tif 000009
【図８】
2010005193.tif 000010